(57)【要約】【課題】再生を再開すべき再生情報の再生内容を迅速且つ適格に把握して再生処理を行うことが可能な情報再生装置等を提供する。【解決手段】タイトルの再生を中断するとき、その再生を再開すべきタイトル内の部分を特定するための停止位置情報を記憶するメモリ９と、記憶されている停止位置情報に基づいて、今回再生すべきタイトルが、中断している再生が再開されるべきタイトルであるか、或いはタイトルの先頭から再生されるべきタイトルであるかを判定し、タイトルが、中断している再生が再開されるべきタイトルであるとき、停止位置情報に基づいて再開部分を特定し、当該特定した再開部分を代表する静止画像を出力し、一方、タイトルが、当該タイトルの先頭から再生されるべきタイトルであるとき、予め設定されているサムネイル画像を出力するＣＰＵ４と、を備える。【選択図】　　　図１
2004032375.tif 000002
【特許請求の範囲】
【請求項１】
再生されるべき再生情報の当該再生を中断するとき、当該再生を再開すべき当該再生情報内の部分を特定するための特定情報を記憶する記憶手段と、
前記記憶されている特定情報に基づいて、今回再生すべき前記再生情報が、中断している当該再生が再開されるべき再生情報であるか、或いは当該再生情報の先頭から再生されるべき再生情報であるかを判定する判定手段と、
前記再生情報が、中断している当該再生が再開されるべき再生情報であるとき、前記特定情報に基づいて前記部分を特定し、当該特定した部分を代表する代表情報である再開代表情報を出力する再開出力手段と、
前記再生情報が、当該再生情報の先頭から再生されるべき再生情報であるとき、予め設定されている当該再生情報全体を代表する代表情報である初期代表情報を出力する初期出力手段と、
を備えることを特徴とする情報再生装置。
【請求項２】
請求項１に記載の情報再生装置において、
前記代表情報は画像情報であると共に、
前記再開代表情報は、前記部分において最初に再生されるべき画像であり、
前記初期代表情報は、予め設定されている当該再生情報全体を代表する画像であることを特徴とする情報再生装置。
【請求項３】
請求項１又は２に記載の情報再生装置において、
前記特定情報は、再生を再開すべき前記再生情報の再生時間軸における前記部分の先頭の再生時刻であることを特徴とする情報再生装置。
【請求項４】
再生されるべき再生情報の当該再生を中断するとき、当該再生を再開すべき当該再生情報内の部分を特定するための特定情報を記憶する記憶工程と、
前記記憶されている特定情報に基づいて、今回再生すべき前記再生情報が、中断している当該再生が再開されるべき再生情報であるか、或いは当該再生情報の先頭から再生されるべき再生情報であるかを判定する判定工程と、
前記再生情報が、中断している当該再生が再開されるべき再生情報であるとき、前記特定情報に基づいて前記部分を特定し、当該特定した部分を代表する代表情報である再開代表情報を出力する再開出力工程と、
前記再生情報が、当該再生情報の先頭から再生されるべき再生情報であるとき、予め設定されている当該再生情報全体を代表する代表情報である初期代表情報を出力する初期出力工程と、
を備えることを特徴とする情報再生方法。
【請求項５】
再生情報を再生する情報再生装置に含まれるコンピュータを、
前記再生情報の当該再生を中断するとき、当該再生を再開すべき当該再生情報内の部分を特定するための特定情報を記憶手段に記憶する記憶制御手段、
前記記憶されている特定情報に基づいて、今回再生すべき前記再生情報が、中断している当該再生が再開されるべき再生情報であるか、或いは当該再生情報の先頭から再生されるべき再生情報であるかを判定する判定手段、
前記再生情報が、中断している当該再生が再開されるべき再生情報であるとき、前記特定情報に基づいて前記部分を特定し、当該特定した部分を代表する代表情報である再開代表情報を出力する再開出力手段、及び、
前記再生情報が、当該再生情報の先頭から再生されるべき再生情報であるとき、予め設定されている当該再生情報全体を代表する代表情報である初期代表情報を出力する初期出力手段、
として機能させることを特徴とする再生制御プログラム。
【請求項６】
請求項５に記載の再生制御プログラムが前記コンピュータで読取可能に記録されたことを特徴とする情報記録媒体。
【発明の詳細な説明】
【０００１】
【発明の属する技術分野】
本発明は、情報再生装置、情報再生方法及び再生制御プログラム並びに当該再生制御プログラムを記録した情報記録媒体の技術分野に属し、より詳細には、再生される再生情報の内容の概要を予め把握した上で再生すべき再生情報を選択することが可能な情報再生装置、情報再生方法及び再生制御プログラム並びに当該再生制御プログラムを記録した情報記録媒体の技術分野の技術分野に属する。
【０００２】
【従来の技術】
従来、動画像情報等の再生情報が記録されている光ディスク等の記録媒体から当該再生情報を再生する場合、予め各再生情報の内容を代表する静止画像（以下、当該代表する静止画像をサムネイル画像と称する）を各再生情報毎に一覧表示することで、当該再生情報の内容の概要を把握した上で再生すべき再生情報を選択することが行われている。
【０００３】
一方、当該再生情報の再生に当たり、それまでの再生処理を一時的に中断し、その後、その中断した部分から当該再生を再開する場合があるが、このとき、従来では、その再生が中断された再生情報におけるその中断した際の再生時間軸上の時刻を時刻情報として記憶しておき、その記憶しておいた時刻情報により示される時刻から再生を再開することで、中断位置を使用者が検索することなく迅速に再生を再開できるようにする工夫が為されていた。
【０００４】
【発明が解決しようとする課題】
しかしながら、上述した従来の再生再開処理方法によると、当該再生再開の場合には、記憶されている時刻情報に基づいて再生が再開されるのみであり、使用者が、再生が再開される再生情報における当該再開部分の内容を、その再開前に把握することができず、情報再生装置としての利便性が悪くなるという問題点があった。
【０００５】
そこで、本発明は、上記の問題点に鑑みて為されたもので、その課題の一例は、例えば、再生を再開すべき再生情報の再生内容を迅速且つ適格に把握して再生処理を行うことが可能な情報再生装置、情報再生方法及び再生制御プログラム並びに当該再生制御プログラムを記録した情報記録媒体を提供することにある。
【０００６】
【課題を解決するための手段】
上記の課題を解決するために、請求項１に記載の発明は、再生されるべき再生情報（タイトル）の当該再生を中断するとき、当該再生を再開すべき当該再生情報内の部分を特定するための特定情報を記憶するメモリ等の記憶手段（９）と、前記記憶されている特定情報に基づいて、今回再生すべき前記再生情報が、中断している当該再生が再開されるべき再生情報であるか、或いは当該再生情報の先頭から再生されるべき再生情報であるかを判定するＣＰＵ等の判定手段（４）と、前記再生情報が、中断している当該再生が再開されるべき再生情報であるとき、前記特定情報に基づいて前記部分を特定し、当該特定した部分を代表する代表情報である再開代表情報を出力するＣＰＵ等の再開出力手段（４）と、前記再生情報が、当該再生情報の先頭から再生されるべき再生情報であるとき、予め設定されている当該再生情報全体を代表する代表情報である初期代表情報を出力するＣＰＵ等の初期出力手段（４）と、を備える。
【０００７】
上記の課題を解決するために、請求項４に記載の発明は、再生されるべき再生情報の当該再生を中断するとき、当該再生を再開すべき当該再生情報内の部分を特定するための特定情報を記憶する記憶工程と、前記記憶されている特定情報に基づいて、今回再生すべき前記再生情報が、中断している当該再生が再開されるべき再生情報であるか、或いは当該再生情報の先頭から再生されるべき再生情報であるかを判定する判定工程と、前記再生情報が、中断している当該再生が再開されるべき再生情報であるとき、前記特定情報に基づいて前記部分を特定し、当該特定した部分を代表する代表情報である再開代表情報を出力する再開出力工程と、前記再生情報が、当該再生情報の先頭から再生されるべき再生情報であるとき、予め設定されている当該再生情報全体を代表する代表情報である初期代表情報を出力する初期出力工程と、を備える。
【０００８】
上記の課題を解決するために、請求項５に記載の発明は、再生情報を再生する情報再生装置に含まれるコンピュータを、前記再生情報の当該再生を中断するとき、当該再生を再開すべき当該再生情報内の部分を特定するための特定情報をメモリ等の記憶手段に記憶する記憶制御手段、前記記憶されている特定情報に基づいて、今回再生すべき前記再生情報が、中断している当該再生が再開されるべき再生情報であるか、或いは当該再生情報の先頭から再生されるべき再生情報であるかを判定する判定手段、前記再生情報が、中断している当該再生が再開されるべき再生情報であるとき、前記特定情報に基づいて前記部分を特定し、当該特定した部分を代表する代表情報である再開代表情報を出力する再開出力手段、及び、前記再生情報が、当該再生情報の先頭から再生されるべき再生情報であるとき、予め設定されている当該再生情報全体を代表する代表情報である初期代表情報を出力する初期出力手段、として機能させる。
【０００９】
上記の課題を解決するために、請求項６に記載の発明は、請求項５に記載の再生制御プログラムが前記コンピュータで読取可能に記録されている。
【００１０】
【発明の実施の形態】
次に、本願に好適な実施の形態について、図面に基づいて説明する。
【００１１】
なお、以下に説明する実施の形態は、画像情報及び音楽情報の記録及び再生が共に可能な情報記録再生装置に対して本願を適用した場合の実施の形態である。
【００１２】
先ず、実施形態に係る情報記録再生装置の概要構成及び概要動作について、図１を用いて説明する。なお、図１は実施形態に係る情報記録再生装置の概要構成を示すブロック図である。
【００１３】
図１に示すように、実施形態の情報記録再生装置Ｓは、図示しない光ディスクに対する光学的な情報の記録及び再生が可能な光ディスクドライブ１と、図示しない磁気ディスクに対する磁気的な情報の記録及び再生が可能なハードディスクドライブ２と、インターフェース３と、判定手段、再開出力手段及び初期出力手段としてのＣＰＵ４と、揮発性のメモリ５乃至８と、記憶手段としての不揮発性のメモリ９と、エンコーダ１０と、デコーダ１１と、ＡＶ（Ａｕｄｉｏ　　Ｖｉｄｅｏ）プロセッサ１２と、画像デコーダ１３と、Ａ／Ｄ（Ａｎａｌｏｇ／Ｄｉｇｉｔａｌ）コンバータ１４と、画像エンコーダ１５と、Ｄ／Ａ（Ｄｉｇｉｔａｌ／Ａｎａｌｏｇ）コンバータ１６と、により構成されている。
【００１４】
次に、全体動作を説明する。
【００１５】
始めに、情報記録装置Ｓにより外部から入力されてくる画像情報及び音楽情報を記録する場合の動作について説明する。
【００１６】
当該記録時においては、先ず、図示しない画像入力端子からアナログ信号として入力されてきた入力画像情報Ｓｖｉｎは、画像デコーダ１３においてデジタル信号に変換されると共に予め設定された復号処理が施され、デジタル画像情報ＳｖｄとしてＡＶプロセッサ１２へ出力される。
【００１７】
一方、図示しない音声入力端子からアナログ信号として入力されてきた入力音楽情報Ｓａｉｎは、Ａ／Ｄコンバータ１４においてデジタル信号に変換され、デジタル音楽情報ＳａｄとしてＡＶプロセッサ１２へ出力される。
【００１８】
そして、ＡＶプロセッサ１２は、メモリ信号Ｓｍ３としてメモリ７との間で必要な情報の授受を行いつつ且つＣＰＵ４からの制御信号Ｓｃ４に基づいて、入力されてくるデジタル画像情報Ｓｖｄ及びデジタル音楽情報Ｓａｄに対して予め設定された前処理を施し、夫々処理画像情報Ｓｐｖ及び処理音楽情報Ｓｐａとしてエンコーダ１０へ出力する。
【００１９】
これにより、エンコーダ１０は、メモリ信号Ｓｍ２としてメモリ６との間で必要な情報の授受を行いつつ且つＣＰＵ４からの制御信号Ｓｃ２に基づいて、処理画像情報Ｓｐｖ及び処理音楽情報Ｓｐａに対して必要な合成処理及び定められたフォーマットに則った符号化処理等を施し、合成情報Ｓｍとしてインターフェース３へ出力する。
【００２０】
そして、インターフェース３は、メモリ信号Ｓｍ１としてメモリ５との間で必要な情報の授受を行いつつ且つＣＰＵ４からの制御信号Ｓｃ１に基づいて、合成情報Ｓｍを図示しない光ディスクに記録する場合にはこれを記録情報Ｓｐｄとして光ディスクドライブ１に出力する。その後、光ディスクドライブ１は、当該記録情報Ｓｐｄを図示しない光ディスクに光学的に記録する。
【００２１】
他方、インターフェース３は、合成情報Ｓｍを図示しない磁気ディスクに記録する場合にはこれを記録情報Ｓｄｄとしてハードディスクドライブ２に出力する。その後、ハードディスクドライブ２は、当該記録情報Ｓｄｄを図示しない磁気ディスクに磁気的に記録する。
【００２２】
なお、上述した光ディスク又はハードディスクに画像情報又は音楽情報を記録する場合には、タイトルと称される一纏まりの画像情報又は音楽情報毎に識別可能に記録される。ここで、当該タイトルとして具体的には、画像情報及び音楽情報の双方を含む映画一本が一のタイトルに相当する場合、一連の静止画像群が一のタイトルに相当する場合、又は音楽情報における一の楽曲が一のタイトルに相当する場合等が挙げられる。
【００２３】
また、画像情報の記録時においては、各タイトル毎に、そのタイトルに含まれている静止画像のうち当該タイトルの内容を端的に表す静止画像が予め指定されており、これがサムネイル画像あるいは画像の時間軸的位置情報として画像情報と併せて記録される。
【００２４】
これらの記録処理時の動作において、ＣＰＵ４は、メモリ信号Ｓｍ５としてメモリ９との間で必要な情報の授受を行いつつ且つ図示しない操作部からの操作信号に基づいて、上記した一連の記録動作を統合的に制御すべく、上記制御信号Ｓｃ１、Ｓｃ２及びＳｃ４を生成して対応する構成部材に出力する。
【００２５】
次に、光ディスク又は磁気ディスク記録されている上記音楽情報又は画像情報を上記タイトル毎に再生する場合の動作について説明する。
【００２６】
当該再生時においては、先ず、光ディスクに記録されている音楽情報又は画像情報をタイトル毎に再生する場合には、当該音楽情報及び画像情報を記録情報Ｓｐｄとして当該光ディスクから検出／再生し、インターフェース３へ出力する。
【００２７】
一方、磁気ディスクに記録されている音楽情報又は画像情報をタイトル毎に再生する場合には、当該音楽情報及び画像情報を記録情報Ｓｄｄとして当該磁気ディスクから検出／再生し、インターフェース３へ出力する。
【００２８】
そして、インターフェース３は、メモリ信号Ｓｍ１としてメモリ５との間で必要な情報の授受を行いつつ且つＣＰＵ４からの制御信号Ｓｃ１に基づいて、当該記録情報Ｓｐｄ又はＳｄｄのいずれか一方を再生情報Ｓｐとしてデコーダ１１へ出力する。
【００２９】
これにより、デコーダ１１は、メモリ信号Ｓｍ４としてメモリ８との間で必要な情報の授受を行いつつ且つＣＰＵ４からの制御信号Ｓｃ３に基づいて、再生情報Ｓｐから音楽情報と画像情報とを分離する分離処理及び当該分離された画像情報及び音楽情報の夫々に対する復号処理等を施し、夫々復号画像情報Ｓｖｐ及び復号音楽情報ＳａｐとしてＡＶプロセッサ１２へ出力する。
【００３０】
そして、ＡＶプロセッサ１２は、メモリ信号Ｓｍ３としてメモリ７との間で必要な情報の授受を行いつつ且つＣＰＵ４からの制御信号Ｓｃ４に基づいて、入力されてくる復号画像情報Ｓｖｐ及び復号音楽情報Ｓａｐに対して予め設定された後処理を施し、夫々処理画像情報Ｓｖｄｄ及び処理音楽情報Ｓａｄｄとして画像エンコーダ１５及びＤ／Ａコンバータ１６へ出力する。
【００３１】
これにより、画像エンコーダ１５は、処理画像情報Ｓｖｄｄに対して予め設定されたフォーマット変換処理及びアナログ化処理等を施し、図示しない画像出力端子へアナログ信号である出力画像情報Ｓｖｏｕｔとして出力する。そして、この後は、当該出力画像情報Ｓｖｏｕｔが図示しないテレビジョン装置等の表示装置に対して出力され、当該表示装置上に画像として表示される。
【００３２】
他方、Ｄ／Ａコンバータ１６は、処理音楽情報Ｓａｄｄに対してアナログ化処理等を施し、図示しない音楽出力端子へアナログ信号である出力音楽情報Ｓａｏｕｔとして出力する。そして、この後は、当該音楽画像情報Ｓａｏｕｔが図示しない増幅器に対して出力され、当該増幅器により増幅されて図示しないスピーカにより放音されることとなる。
【００３３】
これらの再生処理時の動作において、ＣＰＵ４は、メモリ信号Ｓｍ５としてメモリ９との間で必要な情報の授受を行いつつ且つ図示しない操作部からの操作信号に基づいて、上記した一連の再生動作を統合的に制御すべく、上記制御信号Ｓｃ１、Ｓｃ３及びＳｃ４を生成して対応する構成部材に出力する。
【００３４】
なお、当該再生処理中において後述する再生中断処理及び再生処理上必要な停止位置情報は、上記メモリ９上に記憶されることとなる。
【００３５】
次に、上述した再生処理のうち、実施形態に係る再生中断処理及び再生処理について、図２乃至図４を用いて説明する。なお、図２及び図３は、上記ＣＰＵ４を中心として実行される当該再生中断処理及び再生処理を示すフローチャートであり、図４は当該再生処理中において上記図示しない表示装置上に表示される選択画面を例示する図である。
【００３６】
始めに、進行中の再生処理を中断する場合の処理について、図２を用いて説明する。
【００３７】
当該再生中断処理においては、先ず、画像情報及び音楽情報の再生中において、図示しない操作部において再生を中断する旨の操作が為されたか否かが監視されている（ステップＳ１）。そして、当該監視中において中断操作が為されないときは（ステップＳ１；ＮＯ）、そのまま監視を続行しつつ再生処理を継続する。
【００３８】
一方、当該監視中において、中断操作が為されたときは（ステップＳ１；ＹＥＳ）、次に、光ディスクドライブ１又はハードディスクドライブ２等において必要な停止処理を実行し（ステップＳ２）、更に、当該中断操作が為されたタイミングにおいて再生されていた画像又は音楽を特定すべく、当該画像又は音楽が属するタイトル内の再生時間軸上の再生時刻情報が停止位置情報としてデコーダ１１等から取得され（ステップＳ３）、更に当該取得された停止位置情報をメモリ９上に記憶させて（ステップＳ４）再生を停止する。
【００３９】
次に、当該停止されている再生処理の再開を含む実施形態の再生処理について、図３及び図４を用いて説明する。
【００４０】
当該再生処理においては、先ず、実施形態の再生処理を開始することを示す操作が上記図示しない操作部において実行されたか否かが確認され（ステップＳ１０）、当該開始操作が実行されていないときは（ステップＳ１０；ＮＯ）、そのまま待機し、一方、開始操作が実行されたときは（ステップＳ１０；ＹＥＳ）、次に、再生を開始する画像情報が記録されている光ディスク又はハードディスク内に、上記サムネイル画像あるいは画像の時間軸的位置情報が併せて記録されているタイトルが存在しているか否かが当該光ディスク又はハードディスク上において確認される（ステップＳ１１）。
【００４１】
次に、メモリ９内における停止位置情報の有無に基づいて、今回の再生処理が、前回中断された再生処理を再開するものであるか否かが確認される（ステップＳ１２）。
【００４２】
そして、前回からの再開再生でないときは（ステップＳ１２；ＮＯ）、そのときに光ディスク又はハードディスクに記録されている画像情報又は音楽情報における各タイトル毎に予め設定されているサムネイル画像を当該光ディスク内又はハードディスク内において検索し（ステップＳ１５）、その検索したサムネイル画像を復号する（ステップＳ１６）。
【００４３】
一方、ステップＳ１２の判定において、前回からの再開再生であるときは（ステップＳ１２；ＹＥＳ）、メモリ９に記憶されている停止位置情報を取得し（ステップＳ１３）、その停止位置情報により示される光ディスク上の位置又はハードディスク上の位置に記録されている静止画像を当該光ディスク内又はハードディスク内において検索し（ステップＳ１４）、その検索した静止画像を復号する（ステップＳ１６）。
【００４４】
そして、サムネイル画像又は停止位置情報により示される静止画像の復号が完了すると、次に、当該復号した各画像を後述する選択画面内に並べて配置するために縮小編集し（ステップＳ１７）、メモリ９内に一時的に格納しておく。
【００４５】
そして、全てのタイトルについてサムネイル画像又は上記静止画像の縮小編集等が完了したか否かが確認され（ステップＳ１８）、完了していないときは（ステップＳ１８；ＮＯ）、次のタイトルについて上記ステップＳ１２乃至Ｓ１８の処理を実行すべくステップＳ１２に戻り、一方、全てのタイトルについて当該縮小編集等が完了しているときは（ステップＳ１８；ＹＥＳ）、図４に示す如き選択画面Ｇを上記図示しない表示装置上に表示する。
【００４６】
ここで、当該選択画面Ｇについて図４を用いて詳説すると、当該選択画面Ｇは、再生すべきタイトルを選択するべく表示装置上に表示されるものであり、具体的には、上述したサムネイル画像（上記ステップＳ１５参照）又は静止画像（上記ステップＳ１３及びＳ１４参照）を夫々縮小編集（上記ステップＳ１７参照）したものを一覧表示するものである。そして、当該選択画面Ｇ上においては、上記サムネイル画像は、図４中符号ＣＰ１、ＣＰ３又はＣＰ６により示す如く、当該サムネイル画像が一覧表として表示される。一方、再生を再開する場合の上記静止画像は、図４中符号ＣＰ２、ＣＰ４又はＣＰ５により示す如く、当該静止画像が前回から再生が再開されるものであることを示す記号又は符号（図４の場合はＲで例示している）と共に一覧表として表示される。また、選択画面Ｇとしてその他には、表示されている各画像に対応するタイトルの中から一のタイトルを選択するときに操作される選択ボタンＳＬと、その選択を取り消すときに操作される取消ボタンＣＬと、選択を確定するときに操作される確定ボタンＳＴと、他の画面に移行するときに操作される戻るボタンＢと、当該選択画面Ｇ内に含まれている。
【００４７】
次に、表示されている（ステップＳ１９参照）選択画面Ｇを用いて再生すべきタイトルの選択が行われる（ステップＳ２０）。そして、再生を開始する旨の操作が図示しない操作部において実行されたか否かが確認され（ステップＳ２１）、当該操作が為されていないときは（ステップＳ２１；ＮＯ）そのまま待機し、一方、当該操作が為されたときは（ステップＳ２１；ＹＥＳ）、その選択されているタイトルが前回中断された再生処理を再開するタイトルであるか否かが確認され（ステップＳ２２）、再生処理を再開するタイトルでないときは（ステップＳ２２；ＮＯ）、その選択されている（ステップＳ２０参照）タイトルの先頭から再生を開始する（ステップＳ２５）。
【００４８】
一方、ステップＳ２２の判定において、再生処理を再開するタイトルであるときは（ステップＳ２２；ＹＥＳ）、その再生再開すべきタイトルに対応する停止位置情報をメモリ９内から取得し（ステップＳ２３）、その停止位置情報により示される再生中断位置に連続する画像情報又は音楽情報より選択された（ステップＳ２０参照）タイトルの再生を再開する。
【００４９】
以上説明したように、実施形態の情報記録再生装置Ｓにおける再生中断処理及び再生処理によれば、再生中断されたときの停止位置情報をメモリ９に記憶し、当該停止位置情報に基づいて、中断している当該再生が再開されるべきタイトルであるか、或いは当該タイトルの先頭から再生されるべきタイトルであるかを判定し、中断している当該再生が再開されるべきタイトルであるとき、停止位置情報に基づいてその再開すべき部分を特定し、当該特定した部分を示す静止画像を表示すると共に、当該タイトルの先頭から再生されるべきタイトルであるとき、予め設定されている当該タイトル全体を代表するサムネイル情報を表示するので、再生を再開すべきタイトルであっても今回再生すべき部分に対応する静止画像により当該部分の内容の概要を迅速に把握することができる。
【００５０】
従って、再生を再開すべきタイトルを含む複数のタイトルについて、その再生内容を迅速且つ適格に把握して再生処理を行うことができる。
【００５１】
また、停止位置情報が、再生を再開すべきタイトルの再生時間軸における再開部分の先頭の再生時刻であるので、少ない情報量で適格に再生再開すべき部分を特定してこれを検索することができる。
【００５２】
なお、上述した実施形態においては、静止画像をサムネイル画像又は再生再開部分を示す画像としたが、これ以外に、各タイトルの内容を代表する短時間の動画像を夫々の代表画像として用いてもよい。
【００５３】
また、上述した実施形態においては、停止位置情報としてタイトル中の再生再開部分の先頭の再生時刻情報を記憶する構成としたが、これ以外に、当該再生再開部分の先頭の静止画像が記録されている光ディスク又はハードディスク上の記録位置を示すアドレス情報を停止位置情報として記憶するように構成することもできる。
【００５４】
更に、図２及び図３に示すフローチャートに対応するプログラムをフレキシブルディスク等の情報記録媒体に記録しておき、又は当該プログラムをインターネット等のネットワークを介して取得して記録しておき、これらを汎用のマイクロコンピュータ等により読み出して実行することにより、当該マイクロコンピュータ等を実施形態にかかるＣＰＵ４として機能させることもできる。
【図面の簡単な説明】
【図１】実施形態の情報記録再生装置の概要構成を示すブロック図である。
【図２】実施形態の再生中断処理を示すフローチャートである。
【図３】実施形態の再生処理を示すフローチャートである。
【図４】実施形態の再生処理において表示される選択画面を例示する図である。
【符号の説明】
Ｓ…情報記録再生装置
１…光ディスクドライブ
２…ハードディスクドライブ
４…ＣＰＵ
９…メモリ
１２…ＡＶプロセッサ
Ｇ…選択画面
ＣＰ１、ＣＰ３、ＣＰ６…サムネイル画像
ＣＰ２、ＣＰ４、ＣＰ５…静止画像
【図１】
2004032375.tif 000003
【図２】
2004032375.tif 000004
【図３】
2004032375.tif 000005
【図４】
2004032375.tif 000006
【手続補正書】
【提出日】平成14年7月8日(2002.7.8)
【手続補正１】
【補正対象書類名】図面
【補正対象項目名】図１
【補正方法】変更
【補正の内容】
【図１】
2004032375.tif 000007
【手続補正２】
【補正対象書類名】図面
【補正対象項目名】図４
【補正方法】変更
【補正の内容】
【図４】
2004032375.tif 000008